(57)【要約】      （修正有）【課題】写真撮影機能及び写真データ送信機能を備えた児童のための防犯システムを提供する。【解決手段】登下校の道程の間、児童のランドセルに装着された携帯端末が児童の周囲を予め設定された秒間隔で自動撮影を行い、撮影毎に指定先のサーバーに撮影データを自動送信する。サーバーに保存されたデータは毎日無事を確認した時点で消去することもできるが、一定期間保管し、後に不審者情報などがあったりした場合はデータとして活用することもできる。【選択図】図１
2007207211.tif 000002
【特許請求の範囲】
【請求項１】
カメラ付き携帯電話を始めとする写真撮影機能及び写真データ送信機能を有する携帯端末機において、予め設定した時刻が来ると搭載のカメラが自動的に写真撮影を開始し、予め設定した秒間隔で撮影を繰り返し、撮影ごとに電話回線を通じて指定のサーバーに写真データを自動送信し、予め設定した時刻が来ると撮影とデータ送信を終了することを特徴とする防犯用携帯端末機。
【請求項２】
撮影延長機能を備え、簡単なキー操作で自動撮影とデータ自動送信を終了予定時刻以後も継続して行うことを特徴とする請求項１記載の携帯端末機。
【請求項３】
設定外スタート機能を備え、開始及び終了時刻などの設定を行わない場合でも簡単なキー操作により自動撮影とデータ自動送信を開始し、予め設定しておけば設定時間経過後に自動終了することを特徴とする請求項２記載の携帯端末機。
【請求項４】
赤外線カメラ等を装備し、フラッシュなしで夜間の撮影ができることを特徴とする請求項３記載の携帯端末機。
【請求項５】
ランドセルやカバンのベルト等に取り付けが可能なようにクリップ部を装備した請求項３及び請求項４記載の携帯端末機。
【請求項６】
写真撮影及び写真データ送信機能に加え動画撮影機能及び動画データ送信機能を有した請求項１記載の携帯端末機。
【請求項７】
請求項１から請求項６までの携帯端末機を用いて撮影を行い、撮影データは電話回線を通じて指定のサーバーへ送信され、サーバー側では送信されたデータの保存と管理を行い、例えば自治体や警察などから情報提供の依頼があった場合などは適正な手続きの後、データを提供し地域の防犯活動に貢献することを特徴とする携帯端末機とサーバーによる防犯システム。
【発明の詳細な説明】
【技術分野】
【０００１】この発明は写真撮影機能及び写真データ送信機能等を備えた携帯電話を始めとする携帯端末機とサーバーを使用した防犯システムに関する。
【背景技術】
【０００２】学校からの下校途中に児童が犯罪者や不審者に狙われ、痛ましい被害者となる事件が頻発している。児童たちは警報ブザーや笛、ＧＰＳ機能付携帯などを携行して万が一の非常時に備えている。
【発明が解決しようとする課題】
【０００３】だが児童向け防犯端末機の多くには共通の問題点、課題が見受けられた。児童が所持し、緊急時を想定しているにかかわらずほとんどの防犯用の端末機は児童自らが、当該人物が危険人物か否かを判断する必要があり、さらに実際に危険人物であった場合には瞬時に危機回避行動をとる必要があり、その状況のもとで自ら非常事態を知らせるための警報発信操作を行う必要があった。小学校低学年の児童にはそれら判断能力や危険を回避するための運動能力はまだ備わっていないと考えられ、これら緊急時に操作を必要とする防犯用端末機を所有していても、警報の信号やサインを発信できずに事件の被害者になるケースが今後も出てくることが懸念される。
【課題を解決するための手段】
【０００４】本発明品を児童のランドセルのベルト等に装着し、登校時および下校時に登下校モードを機能させることで課題を解決する。登下校モードとは児童が家を出てから学校に着くまで、そして下校開始から自宅に到着するまでの登下校の道程の間、児童が携帯する本発明品が予め設定した秒間隔で児童の周辺を自動撮影し、指定先のサーバーに撮影データを自動送信する機能とする。例えば通常７時半頃に家を出て、学校に到着するのが８時頃の児童であれば、予め撮影開始時刻を７時２５分に設定し、撮影終了時刻を８時０５分にあらかじめ設定しておく。交通事情等で設定時間内に学校に到着できない場合は請求項２記載の撮影延長機能を使って自動撮影とデータ自動送信を継続して行う。下校時についても予め通常の下校開始予定時刻と自宅到着予定時刻を入力しておくことで、下校開始時刻が来ると自動的に撮影を開始し、設定の秒間隔で撮影とデータ送信を行い、自宅到着予定時刻に撮影とデータ送信を自動的に終了する。下校開始の時刻が日によって大きく異なる児童の場合は、請求項３記載の設定外スタート機能を使って、自動撮影とデータ送信をスタートさせてから下校を開始することで対応できる。撮影延長キーと設定外スタートキーについては児童がタッチし易いように本体上部に配置し、手探りでわかる様に形状に特徴を持たせている。またこれらスイッチについては誤動作防止のために数秒間の長押しにより信号が発せられることが望ましい。撮影された写真データは電話回線を通じて警備会社や契約先の指定サーバーに送られ保存される。画像データの大きさや撮影の秒間隔は本発明品及びサーバー側の性能を顧慮しユーザー設定できるものとする。
【発明の効果】
【０００５】例えばある児童が下校途中で大人の男性に道を尋ねられた。この男性が本当に道に迷って困っている人なのか、または危険な人物なのか児童には判断できないまま逃げ帰った。このような場合でも本発明品は数秒毎に撮影とデータ送信を繰り返しているので、この男性を撮影している可能性が高く、指定サーバーに送信されたデータの中から取り出して検証することができる。仮に本発明品のカメラ部分に目隠しをされたり、故意に壊されたとしても、その瞬間まで撮られた写真データはすでにサーバーに送信され保存されている。保存されたデータは児童の帰宅を確認した時点で消去することもできるが、一定期間保管し、後に不審者情報など寄せられた場合には写真データとして活用することもできる。この登下校モードを広く告知することで、悪意を持って児童に近づこうとする人間には大きな抑止力となるはずである。
【発明を実施するための最良の形態】
【０００６】以下、本発明の実施例について説明する。本発明品（１）の取付け場所についてはランドセルのベルト（２）等できるだけ携行が負担にならず、且つ児童のからだが撮影の障害にならない位置が望ましい。取付けは装備されたクリップ部（３）でベルトを挟み、適当な位置に固定する。クリップは簡単にズレたり他の児童の悪戯等で外されたりしないために必要な強度と形状を有するものとする。尚落下や紛失防止のため、ピアノ線などを用いた落下防止ひも（１０）で本発明品とベルトを繋ぐことが望ましい。撮影機能については児童の周囲をできるだけ広角に撮影できることが求められ、単独のカメラで広角の撮影が難しい場合は２つの以上のカメラ（６）（７）を装備し一つずつ交互に撮影と送信を行うか又は２つ同時に撮影と送信を行うものとする。登校及び下校の開始時刻と終了時刻の設定等に関しては操作パネル部（４）のキーを操作しておこなう。現在時刻や登下校モードの設定内容等はディスプレイ部（５）に表示され、他機能の入力を支援する情報等もここに表示される。
【図面の簡単な説明】
【０００７】
【図１】本発明品のディスプレイ部を閉じた斜視図である。
【図２】本発明品のディスプレイ部を開いた斜視図である。
【図３】本発明品の平面図である。
【図４】本発明品を児童が携行した際のイメージ図である。
【図５】本発明品をランドセルのベルトに取り付けたイメージ図である。
【符号の説明】
【０００８】１  本発明品
２  ランドセルのベルト
３  クリップ部
４  操作パネル部
５  ディスプレイ部
６  カメラ１
７  カメラ２
８  撮影延長キー
９  設定外スタートキー
１０  落下防止ひも
【図１】
2007207211.tif 000003
【図２】
2007207211.tif 000004
【図３】
2007207211.tif 000005
【図４】
2007207211.tif 000006
【図５】
2007207211.tif 000007